(57)【特許請求の範囲】
【請求項１】
地図データと経路探索用ネットワークデータとを備え、所望の目的地を検索し、あるいは、所望の出発地から目的地までの経路を探索して、地図または地図および経路を表示する表示手段を備えたナビゲーションシステムにおいて、
前記ナビゲーションシステムは、目的地を検索する目的地検索手段と、公開取締り情報に基づいて公開取締り対象のエリアのデータを取得する公開取締り対象データ取得手段と、公開取締りエリア情報へのリンク情報を作成するリンク情報作成手段と、を備え、
前記目的地検索手段が検索した目的地が、前記公開取締り対象データ取得手段が取得した公開取締り対象のエリアに含まれる場合には、前記リンク情報作成手段は、前記公開取締りエリア情報へのリンク情報を作成し、目的地の案内情報とともに前記リンク情報を前記表示手段に表示することを特徴とするナビゲーションシステム。
【請求項２】
地図データと経路探索用ネットワークデータとを備え、所望の目的地を検索し、あるいは、所望の出発地から目的地までの経路を探索して、地図または地図および経路を表示する表示手段を備えたナビゲーションシステムにおいて、
前記ナビゲーションシステムは、出発地から目的地までの経路を探索する経路探索手段と、公開取締り情報に基づいて公開取締り対象のエリアのデータを取得する公開取締り対象データ取得手段と、公開取締りエリア情報へのリンク情報を作成するリンク情報作成手段と、を備え、
前記経路探索手段が経路探索する目的地が、前記公開取締り対象データ取得手段が取得した公開取締り対象のエリアに含まれる場合には、前記リンク情報作成手段は、前記公開取締りエリア情報へのリンク情報を作成し、探索した経路の案内情報とともに前記リンク情報を前記表示手段に表示することを特徴とするナビゲーションシステム。
【請求項３】
地図データと経路探索用ネットワークデータとを備え、所望の目的地を検索し、あるいは、所望の出発地から目的地までの経路を探索して、地図または地図および経路を表示する表示手段を備えたナビゲーションシステムにおいて、
前記ナビゲーションシステムは、目的地を検索する目的地検索手段と、公開取締り情報に基づいて公開取締り対象の道路のデータを取得する公開取締り対象データ取得手段と、公開取締り道路情報へのリンク情報を作成するリンク情報作成手段と、を備え、
前記目的地検索手段が検索した目的地が、前記公開取締り対象データ取得手段が取得した公開取締り対象の道路に面する場合には、前記リンク情報作成手段は、前記公開取締り道路情報へのリンク情報を作成し、目的地の案内情報とともに前記リンク情報を前記表示手段に表示することを特徴とするナビゲーションシステム。
【請求項４】
地図データと経路探索用ネットワークデータとを備え、所望の目的地を検索し、あるいは、所望の出発地から目的地までの経路を探索して、地図または地図および経路を表示する表示手段を備えたナビゲーションシステムにおいて、
前記ナビゲーションシステムは、出発地から目的地までの経路を探索する経路探索手段と、公開取締り情報に基づいて公開取締り対象の道路のデータを取得する公開取締り対象データ取得手段と、公開取締り道路情報へのリンク情報を作成するリンク情報作成手段と、を備え、
前記経路探索手段が経路探索する目的地が、前記公開取締り対象データ取得手段が取得した公開取締り対象の道路に面する場合には、前記リンク情報作成手段は、前記公開取締り道路情報へのリンク情報を作成し、探索した経路の案内情報とともに前記リンク情報を前記表示手段に表示することを特徴とするナビゲーションシステム。
【請求項５】
目的地が駐車場である場合、前記表示手段は、前記リンク情報を表示しないことを特徴とする請求項１ないし請求項４の何れか１項に記載のナビゲーションシステム。
【請求項６】
経路探索サーバから配信された情報を表示する表示手段を備えた端末装置とネットワークを介して接続される経路探索サーバにおいて、
前記経路探索サーバは、地図データと、経路探索用ネットワークデータと、前記端末装置から受信した目的地を検索する目的地検索手段と、公開取締り情報に基づいて公開取締り対象のエリアのデータを取得する公開取締り対象データ取得手段と、公開取締りエリア情報へのリンク情報を作成するリンク情報作成手段と、を備え、
前記目的地検索手段が検索した目的地が、前記公開取締り対象データ取得手段が取得した公開取締り対象のエリアに含まれる場合には、前記リンク情報作成手段は、前記公開取締りエリア情報へのリンク情報を作成し、目的地の案内情報とともに前記リンク情報を前記端末装置に配信することを特徴とする経路探索サーバ。
【請求項７】
経路探索サーバから配信された情報を表示する表示手段を備えた端末装置とネットワークを介して接続される経路探索サーバにおいて、
前記経路探索サーバは、地図データと、経路探索用ネットワークデータと、前記端末装置から受信した出発地から目的地までの経路を検索する経路探索手段と、公開取締り情報に基づいて公開取締り対象のエリアのデータを取得する公開取締り対象データ取得手段と、公開取締りエリア情報へのリンク情報を作成するリンク情報作成手段と、を備え、
前記経路探索手段が経路探索する目的地が、前記公開取締り対象データ取得手段が取得した公開取締り対象のエリアに含まれる場合には、前記リンク情報作成手段は、前記公開取締りエリア情報へのリンク情報を作成し、探索した経路の案内情報とともに前記リンク情報を前記端末装置に配信することを特徴とする経路探索サーバ。
【請求項８】
経路探索サーバから配信された情報を表示する表示手段を備えた端末装置とネットワークを介して接続される経路探索サーバにおいて、
前記経路探索サーバは、地図データと、経路探索用ネットワークデータと、前記端末装置から受信した目的地を検索する目的地検索手段と、公開取締り情報に基づいて公開取締り対象の道路のデータを取得する公開取締り対象データ取得手段と、公開取締り道路情報へのリンク情報を作成するリンク情報作成手段と、を備え、
前記目的地検索手段が検索した目的地が、前記公開取締り対象データ取得手段が取得した公開取締り対象の道路に面する場合には、前記リンク情報作成手段は、前記公開取締り道路情報へのリンク情報を作成し、目的地の案内情報とともに前記リンク情報を前記端末装置に配信することを特徴とする経路探索サーバ。
【請求項９】
経路探索サーバから配信された情報を表示する表示手段を備えた端末装置とネットワークを介して接続される経路探索サーバにおいて、
前記経路探索サーバは、地図データと、経路探索用ネットワークデータと、前記端末装置から受信した出発地から目的地までの経路を検索する経路探索手段と、公開取締り情報に基づいて公開取締り対象の道路のデータを取得する公開取締り対象データ取得手段と、公開取締り道路情報へのリンク情報を作成するリンク情報作成手段と、を備え、
前記経路探索手段が経路探索する目的地が、前記公開取締り対象データ取得手段が取得した公開取締り対象の道路に面する場合には、前記リンク情報作成手段は、前記公開取締り道路情報へのリンク情報を作成し、探索した経路の案内情報とともに前記リンク情報を前記端末装置に配信することを特徴とする経路探索サーバ。
【請求項１０】
目的地が駐車場である場合、前記経路探索サーバは、前記リンク情報を前記端末装置に配信しないことを特徴とする請求項６ないし請求項９の何れか１項に記載の経路探索サーバ。
【発明の詳細な説明】
【技術分野】
【０００１】
本発明は、所望の目的地を検索し、あるいは、所望の出発地から目的地までの最適経路を探索して経路案内するナビゲーションシステムに関するものであり、特に、公開取締り情報から公開取締り対象のエリアや対象道路のデータを取得し、目的地と公開取締り対象のエリアや道路に基づいて、目的地が当該公開取締り対象エリア内や公開取締り対象道路に隣接する場合には、目的地の案内や目的地までの経路の案内に前記公開取締り情報へのリンクを付加するようにし、交通法規の遵守に資するようにしたナビゲーションシステムに関するものである。
【背景技術】
【０００２】
従来から自動車の運転者に出発地から目的地までの最適な経路を案内する車載用のナビゲーション装置が提供されている。従来のナビゲーション装置は、地図データを記録したＣＤ−ＲＯＭ又はＩＣカード等の地図データ記憶装置と、ディスプレイ装置と、ジャイロ、ＧＰＳ（Ｇｌｏｂａｌ  Ｐｏｓｉｔｉｏｎｉｎｇ  Ｓｙｓｔｅｍ）及び車速センサ等の車両の現在位置及び現在方位を検出する車両移動検出装置等を有する。
【０００３】
このようなナビゲーションシステムでは、車両の現在位置を含む地図データを地図データ記憶装置から読み出し、該地図データに基づいて車両位置の周囲の地図画像をディスプレイ装置上に描画すると共に、車両位置マーク（ロケーション）をディスプレイ画面に重ね合わせて表示し、車両の移動に応じて地図画像をスクロール表示したり、地図画像を画面に固定し車両位置マークを移動させたりして、車両が現在どこを走行しているのかを一目で判るようにしている。
【０００４】
通常、車載用ナビゲーション装置には、運転者が所望の目的地に向けて道路を間違うことなく容易に走行できるようにした経路案内機能が搭載されている。この経路案内機能によれば、地図データを用いて出発地から目的地までを結ぶ最もコストが小さい経路をダイクストラ法等のシミュレーション計算を行って経路探索し、その探索した経路を案内経路として記憶しておく。そして走行中、地図画像上に案内経路を他の道路とは色を変えて太く描画して画面表示したり、車両が案内経路上の進路を変更すべき交差点に一定距離内に近づいたときに、地図画像上の進路を変更すべき交差点に進路を示す矢印を描画して画面表示したりすることで目的地までの最適な経路を運転者が簡単に把握できるようにしている。
【０００５】
上記の車載用のナビゲーション装置は、経路探索機能や地図データを持つスタンドアロン型のナビゲーション装置であるが、このようなナビゲーション装置はナビゲーションに必要な全ての機能を備えている必要があり、装置が大型化し価格も高いものとなっていた。近年の通信、情報処理技術の発展により車載用のナビゲーション装置にネットワークを介した通信機能を付加し経路探索サーバとデータ通信して案内経路データや地図データを取得するいわゆる通信型のナビゲーションシステムも普及してきている。更には、歩行者用のナビゲーションシステムとして携帯電話をナビゲーション端末としたシステムも実用化されている。
【０００６】
歩行者ナビゲーションシステムやカーナビゲーションシステムにおける経路探索のための道路ネットワークは以下のように構成されている。例えば、道路が図１０に示すように道路Ａ、Ｂ、Ｃからなる場合、道路Ａ、Ｂ、Ｃの端点、交差点、屈曲点などをノードとし、各ノード間を結ぶ道路を有向性のリンクで表し、ノードデータ（ノードの緯度・経度）、リンクデータ（リンク番号）と各リンクのリンクコスト（リンクの距離またはリンクを走行するのに必要な所要時間）をデータとしたリンクコストデータとで構成される。
【０００７】
すなわち、図１０において、Ｎｎ（○印）、Ｎｍ（◎印）がノードを示し、Ｎｍ（◎印）は道路の交差点を示している。各ノード間を結ぶ有向性のリンクを矢印線（実線、点線、２点鎖線）で示している。リンクは、道路の上り、下りそれぞれの方向を向いたリンクが存在するが、図１０では図示を簡略化するため矢印の向きのリンクのみを図示している。
【０００８】
このような道路ネットワークのデータを経路探索用のデータベースとして経路探索を行う場合、出発地のノードから目的地のノードまで連結されたリンクをたどりそのリンクコストを累積し、累積リンクコストの最少になる経路を探索して案内する。すなわち、図１０において出発地をノードＡＸ、目的地をノードＣＹとして経路探索を行う場合、ノードＡＸから道路Ａを走行して２つ目の交差点で右折して道路Ｃに入りノードＣＹにいたるリンクを順次たどりリンクコストを累積し、リンクコストの累積値が最少になる経路を探索して案内する。
【０００９】
図１０ではノードＡＸからノードＣＹに至る他の経路は図示されていないが、実際にはそのような経路が他にも存在するため、ノードＡＸからノードＣＹに至る可能な経路を同様にして探索し、それらの経路のうちリンクコストが最少になる経路を最適経路として決定するものである。この経路探索は、例えば、ダイクストラ法と呼ばれる周知の手法によって行われる。
【００１０】
車載用のナビゲーションシステムにおける道路ネットワークのデータは、自動車の通行可能な道路のみによって構成され、歩行者専用の道路や車両の進入が禁止されている公園内や駅前広場の通路などの歩行者用道路ネットワークデータは不要である。一方、歩行者用のナビゲーションシステムにおいては、自動車の通行可能な道路ネットワークに加えて前述の歩行者専用の道路や車両の進入が禁止されている公園内や駅前広場の通路などの歩行者用道路ネットワークデータを含んで構成されるが、高速道路など歩行が禁止されている道路のネットワークデータは必要としない。
【００１１】
携帯電話をナビゲーション端末としたナビゲーションシステムにおいては、ユーザが携帯電話を自動車内に置きカーナビと同様に使用する態様があることから、経路探索サーバは、自動車用の経路探索のための道路ネットワークデータと歩行者用の経路探索のための歩行者用道路ネットワークデータの双方を備え、ユーザが経路探索の条件として指定する移動手段（徒歩か自動車か）により適切な道路ネットワークデータを経路探索に使用するように構成される。
【００１２】
自動車による移動経路を案内するナビゲーションシステムの場合、交通法規を遵守することが好ましく、例えば、目的地が駐車禁止エリア内であったり、目的地が駐車禁止道路に隣接していたりする場合、駐車禁止であることを報知するようにしたナビゲーション装置や、目的地周辺の駐車場を抽出して案内するナビゲーション装置や、駐車可能な道路が経路となるように経路探索するようにしたナビゲーション装置が知られている。
【００１３】
例えば、下記の特許文献１（特開２００２−２４３４５５号公報）、特許文献２（特開平１０−１１９６７７号公報）には、駐車しようとしている位置が、駐車禁止の場所である場合には、警告メッセージを表示して駐車違反の抑止を図ったナビゲーション装置が開示されている。
【００１４】
また、下記の特許文献３（特開２０００−１４６６１３号公報）には、目的地までの経路探索を行うとともに、目的とする施設に駐車場が設けられていない場合に目的地周辺の駐車場を抽出して案内するようにしたナビゲーション装置が開示されている。更に、下記の特許文献４（特開２００５−２５７６２２号公報）には、駐車可能な道路が経路となるように目的地までの経路を探索するようにしたナビゲーション装置が開示されている。
【００１５】
【特許文献１】特開２００２−２４３４５５号公報
【特許文献２】特開平１０−１１９６７７号公報
【特許文献３】特開２０００−１４６６１３号公報
【特許文献４】特開２００５−２５７６２２号公報
【発明の開示】
【発明が解決しようとする課題】
【００１６】
しかしながら、上記特許文献１、特許文献２に開示されたナビゲーション装置では、目的地に到達して初めて、駐車しようとする位置が駐車禁止の場所であることが報知されるので、事前に対処することができず実用上の効果が得られないという問題点がある。
【００１７】
また、上記特許文献３に開示されたナビゲーション装置では、事前に駐車場の有無を確認することはできるが、一般的に施設に駐車場が有るか無いかのデータの蓄積の対象になるのは大きな商業施設や公共施設などに限られているから、中小の商店などの施設には駐車場がないという扱いになってしまい、目的地から離れた駐車場に誘導されてしまうことになるという問題点があった。
【００１８】
更に、上記特許文献４に開示されたナビゲーション装置においても特許文献３に開示されたナビゲーション装置と同様の問題があり、目的地に駐車できない場合に誘導される経路が目的地から大きく外れてしまうと、荷物の集配や引っ越しなど日常生活を円滑にするために必要な作業を阻害するという問題点があった。
【００１９】
一般に自動車による経路を案内するナビゲーション装置では、できるだけ事前に目的地周辺の駐車禁止エリアや、駐車場の有無などを報知できるようにすることが好ましい。駐車禁止区間の中でも特に苦情や渋滞の発生が多い道路の情報が得られれば、その情報を参照するように注意を喚起し、そのような目的地への経路探索を行う場合には、周辺の駐車場を案内し、駐車違反に該当しないような場合も含めてドライバーに的確な判断を促し、苦情の発生や渋滞の防止に貢献できることが好ましい。
【００２０】
本願の発明者は上記の問題点を解消すべく種々検討を重ねた結果、駐車禁止区域（エリア）、駐車禁止道路区間にあって、特に違反駐車による渋滞発生や苦情の多いエリアや道路区間は、交通取締りの対象となることが多いことに着目し、道路交通法の改正に伴って公開されるようになった公開取締りの情報を利用して、目的地が取締り対象エリア内である場合や目的地が取締り対象の道路に隣接する場合を検出し、当該取り締まり情報を表示するようになせば、前記問題点を解消することができることに想到して本発明を完成するに至ったものである。
【００２１】
すなわち、本発明は上記の問題点を解消することを課題とし、経路探索サーバは公開取締り情報から取締り対象のエリアや道路データを取得し、目的地が公開取締りの対象エリア内や公開取締りの対象道路に隣接している場合には、端末装置に目的地の案内や目的地までの経路の案内を送信する際に、当該公開取締り情報へのリンクを付加して情報取得を強く喚起することによって、予め周辺の駐車場を検索するなどの準備を促すことにより交通法規の遵守に資するようにしたナビゲーションシステムを提供することを目的とするものである。
【課題を解決するための手段】
【００２２】
前記課題を解決するために、本願の請求項１にかかる発明は、
地図データと経路探索用ネットワークデータとを備え、所望の目的地を検索し、あるいは、所望の出発地から目的地までの経路を探索して、地図または地図および経路を表示する表示手段を備えたナビゲーションシステムにおいて、
前記ナビゲーションシステムは、目的地を検索する目的地検索手段と、公開取締り情報に基づいて公開取締り対象のエリアのデータを取得する公開取締り対象データ取得手段と、公開取締りエリア情報へのリンク情報を作成するリンク情報作成手段と、を備え、
前記目的地検索手段が検索した目的地が、前記公開取締り対象データ取得手段が取得した公開取締り対象のエリアに含まれる場合には、前記リンク情報作成手段は、前記公開取締りエリア情報へのリンク情報を作成し、目的地の案内情報とともに前記リンク情報を前記表示手段に表示することを特徴とするナビゲーションシステム。
【００２３】
本願の請求項２にかかる発明は、
地図データと経路探索用ネットワークデータとを備え、所望の目的地を検索し、あるいは、所望の出発地から目的地までの経路を探索して、地図または地図および経路を表示する表示手段を備えたナビゲーションシステムにおいて、
前記ナビゲーションシステムは、出発地から目的地までの経路を探索する経路探索手段と、公開取締り情報に基づいて公開取締り対象のエリアのデータを取得する公開取締り対象データ取得手段と、公開取締りエリア情報へのリンク情報を作成するリンク情報作成手段と、を備え、
前記経路探索手段が経路探索する目的地が、前記公開取締り対象データ取得手段が取得した公開取締り対象のエリアに含まれる場合には、前記リンク情報作成手段は、前記公開取締りエリア情報へのリンク情報を作成し、探索した経路の案内情報とともに前記リンク情報を前記表示手段に表示することを特徴とする。
【００２４】
本願の請求項３にかかる発明は、
地図データと経路探索用ネットワークデータとを備え、所望の目的地を検索し、あるいは、所望の出発地から目的地までの経路を探索して、地図または地図および経路を表示する表示手段を備えたナビゲーションシステムにおいて、
前記ナビゲーションシステムは、目的地を検索する目的地検索手段と、公開取締り情報に基づいて公開取締り対象の道路のデータを取得する公開取締り対象データ取得手段と、公開取締り道路情報へのリンク情報を作成するリンク情報作成手段と、を備え、
前記目的地検索手段が検索した目的地が、前記公開取締り対象データ取得手段が取得した公開取締り対象の道路に面する場合には、前記リンク情報作成手段は、前記公開取締り道路情報へのリンク情報を作成し、目的地の案内情報とともに前記リンク情報を前記表示手段に表示することを特徴とする。
【００２５】
本願の請求項４にかかる発明は、
地図データと経路探索用ネットワークデータとを備え、所望の目的地を検索し、あるいは、所望の出発地から目的地までの経路を探索して、地図または地図および経路を表示する表示手段を備えたナビゲーションシステムにおいて、
前記ナビゲーションシステムは、出発地から目的地までの経路を探索する経路探索手段と、公開取締り情報に基づいて公開取締り対象の道路のデータを取得する公開取締り対象データ取得手段と、公開取締り道路情報へのリンク情報を作成するリンク情報作成手段と、を備え、
前記経路探索手段が経路探索する目的地が、前記公開取締り対象データ取得手段が取得した公開取締り対象の道路に面する場合には、前記リンク情報作成手段は、前記公開取締り道路情報へのリンク情報を作成し、探索した経路の案内情報とともに前記リンク情報を前記表示手段に表示することを特徴とする。
【００２６】
本願の請求項５にかかる発明は、請求項１ないし請求項４の何れかにかかるナビゲーションシステムにおいて、
目的地が駐車場である場合、前記表示手段は、前記リンク情報を表示しないことを特徴とする。
【００２７】
また、本願の請求項６にかかる発明は、
経路探索サーバから配信された情報を表示する表示手段を備えた端末装置とネットワークを介して接続される経路探索サーバにおいて、
前記経路探索サーバは、地図データと、経路探索用ネットワークデータと、前記端末装置から受信した目的地を検索する目的地検索手段と、公開取締り情報に基づいて公開取締り対象のエリアのデータを取得する公開取締り対象データ取得手段と、公開取締りエリア情報へのリンク情報を作成するリンク情報作成手段と、を備え、
前記目的地検索手段が検索した目的地が、前記公開取締り対象データ取得手段が取得した公開取締り対象のエリアに含まれる場合には、前記リンク情報作成手段は、前記公開取締りエリア情報へのリンク情報を作成し、目的地の案内情報とともに前記リンク情報を前記端末装置に配信することを特徴とする。
【００２８】
本願の請求項７にかかる発明は、
経路探索サーバから配信された情報を表示する表示手段を備えた端末装置とネットワークを介して接続される経路探索サーバにおいて、
前記経路探索サーバは、地図データと、経路探索用ネットワークデータと、前記端末装置から受信した出発地から目的地までの経路を検索する経路探索手段と、公開取締り情報に基づいて公開取締り対象のエリアのデータを取得する公開取締り対象データ取得手段と、公開取締りエリア情報へのリンク情報を作成するリンク情報作成手段と、を備え、
前記経路探索手段が経路探索する目的地が、前記公開取締り対象データ取得手段が取得した公開取締り対象のエリアに含まれる場合には、前記リンク情報作成手段は、前記公開取締りエリア情報へのリンク情報を作成し、探索した経路の案内情報とともに前記リンク情報を前記端末装置に配信することを特徴とする。
【００２９】
本願の請求項８にかかる発明は、
経路探索サーバから配信された情報を表示する表示手段を備えた端末装置とネットワークを介して接続される経路探索サーバにおいて、
前記経路探索サーバは、地図データと、経路探索用ネットワークデータと、前記端末装置から受信した目的地を検索する目的地検索手段と、公開取締り情報に基づいて公開取締り対象の道路のデータを取得する公開取締り対象データ取得手段と、公開取締り道路情報へのリンク情報を作成するリンク情報作成手段と、を備え、
前記目的地検索手段が検索した目的地が、前記公開取締り対象データ取得手段が取得した公開取締り対象の道路に面する場合には、前記リンク情報作成手段は、前記公開取締り道路情報へのリンク情報を作成し、目的地の案内情報とともに前記リンク情報を前記端末装置に配信することを特徴とする。
【００３０】
本願の請求項９にかかる発明は、
経路探索サーバから配信された情報を表示する表示手段を備えた端末装置とネットワークを介して接続される経路探索サーバにおいて、
前記経路探索サーバは、地図データと、経路探索用ネットワークデータと、前記端末装置から受信した出発地から目的地までの経路を検索する経路探索手段と、公開取締り情報に基づいて公開取締り対象の道路のデータを取得する公開取締り対象データ取得手段と、公開取締り道路情報へのリンク情報を作成するリンク情報作成手段と、を備え、
前記経路探索手段が経路探索する目的地が、前記公開取締り対象データ取得手段が取得した公開取締り対象の道路に面する場合には、前記リンク情報作成手段は、前記公開取締り道路情報へのリンク情報を作成し、探索した経路の案内情報とともに前記リンク情報を前記端末装置に配信することを特徴とする。
【００３１】
本願の請求項１０にかかる発明は、請求項６ないし請求項９の何れかにかかる経路探索サーバにおいて、目的地が駐車場である場合、前記経路探索サーバは、前記リンク情報を前記端末装置に配信しないことを特徴とする。
【発明の効果】
【００３２】
請求項１にかかる発明においては、ナビゲーションシステムは、目的地を検索する目的地検索手段と、公開取締り情報に基づいて公開取締り対象のエリアのデータを取得する公開取締り対象データ取得手段と、公開取締りエリア情報へのリンク情報を作成するリンク情報作成手段と、を備え、目的地検索手段が検索した目的地が、公開取締り対象データ取得手段が取得した公開取締り対象のエリアに含まれる場合には、リンク情報作成手段は、公開取締りエリア情報へのリンク情報を作成し、目的地の案内情報とともに前記リンク情報を表示手段に表示する。
【００３３】
このような構成によれば、目的地が公開取締りの対象エリア内である場合、公開取締りエリア情報へのリンク情報を作成して表示する。駐車禁止のエリアや駐車禁止道路にあって、特に違反駐車による渋滞発生や苦情の多いエリアや道路は取締りの対象となることが多いから、詳細な交通取締りエリア情報へのリンク情報を表示して報知して情報取得を強く喚起することによって、予め周辺の駐車場を検索するなどの準備を促し交通法規の遵守に資することができる。
【００３４】
請求項２にかかる発明においてはナビゲーションシステムにおいて、ナビゲーションシステムは、出発地から目的地までの経路を探索する経路探索手段と、公開取締り情報に基づいて公開取締り対象のエリアのデータを取得する公開取締り対象データ取得手段と、公開取締りエリア情報へのリンク情報を作成するリンク情報作成手段と、を備え、前記経路探索手段が経路探索する目的地が、前記公開取締り対象データ取得手段が取得した公開取締り対象のエリアに含まれる場合には、前記リンク情報作成手段は、前記公開取締りエリア情報へのリンク情報を作成し、探索した経路の案内情報とともに前記リンク情報を前記表示手段に表示する。
【００３５】
このような構成によれば、経路探索を行うとともに、目的地が公開取締りの対象エリア内である場合、公開取締りエリア情報へのリンク情報を作成して表示する。駐車禁止のエリアや駐車禁止道路にあって、特に違反駐車による渋滞発生や苦情の多いエリアや道路は取締りの対象となることが多いから、詳細な交通取締りエリア情報へのリンク情報を表示して報知して情報取得を強く喚起することによって、予め周辺の駐車場を検索するなどの準備を促し交通法規の遵守に資することができる。
【００３６】
請求項３にかかる発明においてはナビゲーションシステムにおいて、ナビゲーションシステムは、目的地を検索する目的地検索手段と、公開取締り情報に基づいて公開取締り対象の道路のデータを取得する公開取締り対象データ取得手段と、公開取締り道路情報へのリンク情報を作成するリンク情報作成手段と、を備え、前記目的地検索手段が検索した目的地が、前記公開取締り対象データ取得手段が取得した公開取締り対象の道路に面する場合には、前記リンク情報作成手段は、前記公開取締り道路情報へのリンク情報を作成し、目的地の案内情報とともに前記リンク情報を前記表示手段に表示する。
【００３７】
このような構成によれば、目的地が公開取締りの対象道路に面する場合、公開取締り道路情報へのリンク情報を作成して表示する。駐車禁止のエリアや駐車禁止道路にあって、特に違反駐車による渋滞発生や苦情の多いエリアや道路は取締りの対象となることが多いから、詳細な交通取締り道路情報へのリンク情報を表示して報知して情報取得を強く喚起することによって、予め周辺の駐車場を検索するなどの準備を促し交通法規の遵守に資することができる。
【００３８】
請求項４にかかる発明においてはナビゲーションシステムにおいて、ナビゲーションシステムは、出発地から目的地までの経路を探索する経路探索手段と、公開取締り情報に基づいて公開取締り対象の道路のデータを取得する公開取締り対象データ取得手段と、公開取締り道路情報へのリンク情報を作成するリンク情報作成手段と、を備え、前記経路探索手段が経路探索する目的地が、前記公開取締り対象データ取得手段が取得した公開取締り対象の道路に面する場合には、前記リンク情報作成手段は、前記公開取締り道路情報へのリンク情報を作成し、探索した経路の案内情報とともに前記リンク情報を前記表示手段に表示する。
【００３９】
このような構成によれば、目的地が公開取締りの対象道路に面する場合、公開取締り道路情報へのリンク情報を作成して表示する。駐車禁止のエリアや駐車禁止道路にあって、特に違反駐車による渋滞発生や苦情の多いエリアや道路は取締りの対象となることが多いから、詳細な交通取締り道路情報へのリンク情報を表示して報知して情報取得を強く喚起することによって、予め周辺の駐車場を検索するなどの準備を促し交通法規の遵守に資することができる。
【００４０】
請求項５にかかる発明においては、請求項１ないし請求項４の何れかにかかるナビゲーションシステムにおいて、目的地が駐車場である場合、前記表示手段は、前記リンク情報を表示しない。
【００４１】
このような構成によれば、当初から駐車場を目的地にして目的地検索や経路探索を行った場合は、そもそも駐車場に入る意志があるのであるから、取り締まり対象の告知表示が煩雑になることを防止することができるようになる。
【００４２】
また、請求項６ないし請求項１０にかかる発明においては、それぞれ請求項１ないし請求項５にかかるナビゲーションシステムを構成する経路探索サーバを提供することができるようになる。
【発明を実施するための最良の形態】
【００４３】
以下、本発明の具体例を実施例及び図面を用いて詳細に説明する。但し、以下に示す実施例は、本発明の技術思想を具体化するためのナビゲーションシステムを例示するものであって、本発明をこのナビゲーションシステムに特定することを意図するものではなく、特許請求の範囲に含まれるその他の実施形態のナビゲーションシステムにも等しく適用し得るものである。
【実施例１】
【００４４】
本発明の実施例１にかかるナビゲーションシステム１０は、図１に示すようにネットワーク１２を介して接続される携帯電話などの端末装置３０と経路探索サーバ２０とから構成されている。端末装置３０が携帯電話からなる場合は、移動体通信網などのネットワーク１２を介して移動体通信基地局、電話回線網を経由して所望の相手方（固定電話、携帯電話、ＰＨＳなど）と通話することができ、また、データ通信ネットワークを経由して経路探索サーバ２０に接続して後述するような所望の目的地や興味対象場所の検索、所望の出発地から目的地までの最適経路や候補経路の探索を要求し、その結果を得て目的地や経路案内のナビゲーションサービスを受けることができる。
【００４５】
本実施例１は、目的地検索や経路探索における目的地が違反駐車による渋滞発生や苦情の多いエリア内にあるか否かを公開取締りの情報を利用して判別し、該当する公開取締り情報へのリンク情報に基づいて容易に当該取り締まり情報の詳細を表示できるようにしたものである。
【００４６】
経路探索サーバ２０は、制御手段２１、送受信手段２２、経路探索手段２３、配信データ編集手段２４、目的地検索手段２５、公開取締り対象データ取得手段２６、リンク情報作成手段２７を備えて構成されている。また、経路探索サーバ２０は、経路探索用の道路ネットワークデータ２１１、地図データ２１２、ＰＯＩデータ２１３を備えている。道路ネットワークデータ２１１は、先に図１０を参照して説明したものと同様のデータである。地図データ２１２は、端末装置３０に表示する道路地図のデータであり、主要な建物などのランドマークを含んでいる。ＰＯＩデータ２１３は、公共機関の施設、劇場、ガソリンスタンドなど利用者が検索対象とする種々の興味対象場所（ＰＯＩ：Pｏｉｎｔ  ｏｆ  Ｉｎｔｅｒｅｓｔ）の所在地や駐車場の有無などの情報を蓄積したものである。
【００４７】
制御手段２１は、図示してはいないがＲＡＭ、ＲＯＭ、プロセッサを有するマイクロプロセッサであり、ＲＯＭに格納された制御プログラムにより各部の動作を制御する。送受信手段２２はネットワーク１２を介して端末装置３０などと通信データを送受信するための通信インターフェースである。経路探索手段２３は端末装置３０から送信された経路探索要求に従って、経路探索用の道路ネットワークデータ２１１を参照し、周知のダイクストラ法などの経路探索手法を用いて、出発地から目的地に至る最短経路やいくつかの推奨経路を探索する。
【００４８】
目的地検索手段２５は端末装置３０から送信された目的地の情報に従って、地図データ２１２やＰＯＩデータ２１３を用いて目的地の地理的な場所を検索する。利用者は目的地の検索結果を受信して、端末装置３０の現在位置または端末装置３０において入力された出発地の情報に基づいて、経路探索要求を経路探索サーバ２０に経路探索、案内を要求することができる。配信データ編集手段２４は、目的地検索の結果や経路探索の結果あるいは端末装置３０から要求された地図データを端末装置３０に送信するための回答データに編集するものである。経路データの編集にあたっては、交差点などのガイダンスポイントと、当該ガイダンスポイントでの右左折、直進などのガイダンスデータが付加される。
【００４９】
先に述べたように、駐車禁止区域（エリア）、駐車禁止道路区間にあって、特に違反駐車による渋滞発生や苦情の多いエリアや道路区間は、交通取り締まりの対象となることが多い。今次の道路交通法の改正により駐車違反の確認作業が民間委託される。これに際して、当局（警察署）から公開取締り情報が公開される。本発明においては、公開取締り対象データ取得手段２６により、公開された公開取締り情報に基づいて、公開取締りの対象になる駐車禁止のエリア、道路のデータを取得する。これらのデータは道路ネットワークデータ２１１や地図データ２１２などに属性情報として蓄積し、目的地が当該対象エリア内に含まれるかを判別することができる。
【００５０】
そして、経路探索サーバ２０は端末装置３０から要求された目的地検索において、目的地が公開取締りの対象エリア内にある場合、当該公開取締り情報を参照するためのリンク情報を作成し、目的地検索の結果を回答する際、このリンク情報を付加して端末装置３０に報知する。リンク情報は、例えば、公開取締り情報にリンクするハイパーリンクとして回答に付加する。このハイパーリンクは公開取締り情報が存在する旨のメッセージを用いた文字リンクとすることができる。
【００５１】
端末装置３０の利用者は公開取締り情報が存在する旨のメッセージにより、目的地が対象エリアであることを知る。そして公開取締り情報へのリンク情報を操作することで、そのエリアの詳細を知ることができる。更に、当該エリアの周辺の駐車場検索などを要求する画面にリンクできるようにすることで、交通法規の遵守を強く喚起することができるようになる。
【００５２】
リンク情報作成手段２７はこのための要素である。公開取締り情報は当局（警察署）のホームページにＰＤＦデータとして掲出され公開されている。公開取締り対象データ取得手段２６はこのＰＤＦデータに基づいてデータ業者あるいはナビゲーションシステム１０の運営者が作成した対象エリアや道路のデータを、入力手段を介して取得して、蓄積する。例えば、対象の道路を道路リンクデータの属性に付加するなどの形式で、道路ネットワークデータ２１１や地図データ２１２等に蓄積することができる。このデータは最新の公開取締り情報が公開されるごとに随時データが更新される。また公開取締り情報には、エリアあるいは道路区間の情報のみならず、取締りの日時も含まれることがあるので、それも記憶する。
【００５３】
勿論、将来このような公開取締り情報が当局の運営する情報配信サーバからテキストデータなどで提供されるようになれば、ナビゲーションシステム１０の地図フォーマットや道路ネットワークデータのフォーマットに適合する形式に自動変換して蓄積するように処理することも可能である。
【００５４】
そして、リンク情報作成手段２７は、目的地が含まれる公開取締りの対象エリアに応じて上記ＰＤＦデータあるいは情報配信サーバの公開取締り情報にアクセスするためのリンク情報を作成し、配信データ編集手段２４が端末装置３０に配信する回答データにこのリンク情報を付加する。端末装置３０はこれを表示し、利用者はこのリンク情報を操作することで目的地が含まれるエリアの公開取締り情報を簡単に参照できるようになる。
【００５５】
また、経路探索サーバ２０は、目的地検索の結果を回答した後、端末装置３０から現在位置を出発地とし、あるいは端末装置３０において指定した所望の出発点を出発地とする経路探索要求があると、経路探索手段２３は出発地から目的地までの最適経路、あるいは、複数の推奨経路を探索してその結果を端末装置３０に回答する。この回答にも目的地検索の場合と同様に上記のリンク情報を付加する。
【００５６】
なお、端末装置３０から目的地検索要求でなく、出発地と目的地を指定した経路探索要求があった場合にも、経路探索サーバ２０は、経路探索手段２３により出発地から目的地までの経路探索を行うとともに、目的地検索手段２５で目的地検索を行い、目的地が公開取締り情報の対象エリアに含まれるかを判別する。その結果、目的地が公開取締りの対象エリア内である場合、リンク情報作成手段２７は公開取締り情報へのリンク情報を作成し、経路探索結果を端末装置３０に対する回答に当該リンク情報を付加する。
【００５７】
本実施例における端末装置３０は、ＧＰＳ衛星信号を受信して現在位置（緯度・経度）を算出するＧＰＳ処理手段３６を備え、現在位置を測位することができ、この現在位置を使用して経路探索サーバ２０に経路探索を要求したり、現在位置を含む地図情報を要求したりすることができる。端末装置３０として携帯電話を使用する場合、利用者が自動車の助手席に同乗して運転者をガイドするために自動車用の経路の探索要求を行うことができる。
【００５８】
また、端末装置３０は、制御手段３１、送受信手段３２、経路探索要求手段３３、案内データ記憶手段３４、地図・経路記憶手段３５、操作入力手段３７、表示手段３８などを備えて構成されている。制御手段３１は、図示してはいないがＲＡＭ、ＲＯＭ、プロセッサを有するマイクロプロセッサであり、ＲＯＭに格納された制御プログラムにより各部の動作を制御する。送受信手段３２はネットワーク１２を介して経路探索サーバ２０などと通信データを送受信するための通信インターフェースである。
【００５９】
経路探索要求手段３３は、出発地や目的地などの経路探索条件に従った経路探索要求を編集し、あるいは、目的地を指定して目的地検索要求を編集して経路探索サーバ２０に送信するためのものである。出発地や目的地などの経路探索条件は操作入力手段３７から設定あるいは入力される。ＧＰＳ処理手段３６はＧＰＳ衛星からの信号を受信、処理して端末装置３０の現在位置を測位する。
【００６０】
経路探索サーバ２０から端末装置３０に配信された最短経路や推奨経路、ガイダンスデータなどは案内データ記憶手段３４に記憶され、また、経路探索サーバ２０から配信された地図データや経路データは地図・経路記憶手段３５に記憶される。これらの記憶手段に記憶されたデータは、必要に応じて読み出され、表示手段３８に表示される。ＧＰＳ処理手段３６で測位した現在位置に基づいて、当該現在位置を含む所定の範囲の地図データが地図・経路記憶手段３５から読み出され、地図データ、現在位置データに基づいて画像データが展開され表示手段３８に表示される。
【００６１】
経路探索サーバ２０から端末装置３０に送信された案内経路データや目的地検索結果のデータに前述したリンク情報が付加されている場合、表示手段３８には、公開取締り情報がある旨のメセッージを表示し、当該メセッージを操作（選択）することにより、端末装置３０はリンク情報が示す公開取締り情報にアクセスしてその情報を取得し、表示手段３８に内容を表示する。
【００６２】
図２は、以上説明したナビゲーションシステム１０における目的地検索の処理手順を示すフローチャートである。先ず、ステップＳ２０１の処理において目的地検索手段２５は目的地を検索する。ステップＳ２０２の処理において目的地検索に成功したか否かを判別する。この処理において目的地の検索に成功しなかった場合は、ステップＳ２０７の処理に進み、配信データ編集手段２４は端末装置３０にエラーを回答するエラー画面のデータを作成する。
【００６３】
目的地の検索に成功した場合はステップＳ２０３の処理に進み、公開取締り対象データ取得手段２６が取得した取締り対象のエリアを参照して目的地が公開取締りの対象であるエリア内であるか否かを判別する。目的地が公開取締りの対象エリア内でない場合には、目的地検索手段２５は、ステップＳ２０５の処理に進み、検索結果に基づいて目的地の所在場所や所在地の地図情報などの検索情報を抽出する。
【００６４】
ステップＳ２０３の処理において目的地が公開取締りの対象エリア内であると判別された場合はステップＳ２０４の処理に進み、リンク情報作成手段２７は該当する公開取締り情報へのリンク情報を作成してステップＳ２０５の処理に進む。ステップＳ２０５の処理が終了するとステップＳ２０６の処理に進み、配信データ編集手段２４はステップＳ２０４、ステップＳ２０５において作成したリンク情報や目的地の所在場所、所在地の地図情報などを編集して端末装置３０に送信する。
【００６５】
図３は、図１のナビゲーションシステム１０における経路探索の手順を示すフロャートである。先ず、ステップＳ３０１の処理において経路探索手段２２３は出発地から目的地までの経路を探索する。ステップＳ３０２の処理において経路探索に成功したか否かを判別する。この処理において経路の探索に成功しなかった場合は、ステップＳ３０７の処理に進み、配信データ編集手段２４は端末装置３０にエラーを回答するエラー画面のデータを作成する。
【００６６】
経路の探索に成功した場合はステップＳ３０３の処理に進み、公開取締り対象データ取得手段２６が取得した取締り対象のエリアを参照して目的地が公開取締りの対象であるエリア内であるか否かを判別する。目的地が公開取締りの対象エリア内でない場合には、経路探索手段２３は、ステップＳ３０５の処理に進み、経路探索結果に基づいて案内経路や端末装置３０の現在位置を含む所定の範囲の地図情報などを抽出する。
【００６７】
ステップＳ３０３の処理において目的地が公開取締りの対象であるエリア内であると判別された場合はステップＳ３０４の処理に進み、リンク情報作成手段２７は該当する公開取締り情報へのリンク情報を作成してステップＳ３０５の処理に進む。ステップＳ３０５の処理が終了するとステップＳ３０６の処理に進み、配信データ編集手段２４はステップＳ３０４、ステップＳ３０５において作成したリンク情報や目的地の所在場所、所在地の地図情報などを編集して端末装置３０に送信する。
【００６８】
図４は、実施例１にかかるナビゲーションシステムにおける端末装置の表示画面の遷移を示す画面遷移図であり、端末装置３０は目的地を指定して経路探索サーバ２０に目的地検索要求を送信する（図４の４１参照）。例えば、携帯電話を端末とする端末装置３０のナビゲーションアプリケーションから目的地検索を行う場合に、「東京タワー」を検索すると、経路探索サーバ２０は前述の手順（図２参照）により目的地検索を行い、回答画面情報を作成して端末装置３０に送る。端末装置３０が表示手段３８にこの回答情報を表示すると画面４２の画像が表示される。経路探索サーバ２０が送信した回答情報の画面には、電話番号や住所の情報、経路探索へのリンク、地図へのリンク、などに加えて、「放置車両取締区域」という文字リンクを表示して、そこをクリックすると目的地周辺の公開取り締まり情報を表示するように構成してある。
【００６９】
すなわち、画面４２において、回答画面エリア４０１には目的地が表示され、回答画面エリア４０２には経路探索条件を選択して経路探索要求を送信する選択項目が表示され、回答画面エリア４０３にはその他の選択項目４２ａ〜選択項目４２ｅが表示される。選択項目４２ｄが公開取締り情報の存在を示すメッセージ「放置車両取締区域」であり、利用者が選択項目４２ｄを選択すると、このメッセージに関連付けられたリンク情報が指定する情報、すなわち、当局のホームページや情報配信サーバ上で公開されている公開取締り情報にアクセスできる。
【００７０】
図５は、図４の画面遷移図に続く画面遷移を示す遷移図である。図４の回答画面エリア４０２において所望の経路探索条件が選択され、経路探索サーバ２０に送信される（図５の５１参照）。経路探索サーバ２０は前述の手順（図３参照）により経路探索条件に従って経路探索を行い、回答画面情報を作成して端末装置３０に送る。端末装置３０が表示手段３８にこの回答情報を表示すると画面５２の画像が表示される。
【００７１】
画面５２は、出発地として現在地（端末装置３０がＧＰＳ処理手段３６により測位した現在位置）と目的地（図４参照）を経路探索条件として経路探索サーバ２０が経路を探索した結果を示す回答画面である。画面５２における回答画面エリア５２１には出発地と目的地が表示され、回答画面エリア５２２には経路探索サーバ２０に対する次の要求項目（探索された案内経路のガイダンスを要求する「ルート案内」や案内経路を含む地図データを要求する「ルート地図確認」など）が表示される。
【００７２】
回答画面エリア５２３には、案内経路の所要時間、走行距離、高速道路名、通行料金などが表示される。また、回答画面エリア５２４には、その他の選択項目が表示される。その他の選択項目としては、周辺の駐車場検索を要求する選択項目５２ａ、公開取締り情報を示すメッセージの選択項目５２ｂがあり、利用者が選択項目５２ｂを選択すると、このメッセージに関連付けられたリンク情報が指定する情報、すなわち、当局のホームページや情報配信サーバ上で公開されている公開取締り情報にアクセスできる。
【００７３】
画面５３はこのようにして取得した目的地が含まれるエリアを対象とする公開取締り情報の画面である。この取締り情報には、取締り対象の重点路線、最重点地域、重点地域などが記載されてあり、端末装置３０は表示手段３８にこの公開取締り情報の詳細を表示することができる。この回答画面の表示にあたって、端末装置３０は目的地周辺の駐車場検索を要求する選択項目５３ａを付加して表示すると良い。この選択項目５３ａまたは画面５２の選択項目５２ａを選択すると、経路探索サーバ２０において目的地周辺所定範囲の駐車場が検索され、画面５４の回答画面が端末装置３０に送信される。この画面５４には、周辺の駐車場の一覧が表示され、利用者は任意の駐車場を選択することができるようになる。
【００７４】
なお、上記のように目的地検索、経路探索の手順によらず、経路探索が要求された場合には、経路探索を行ったあと、目的地が取り締まりエリアに含まれるか調べ、含まれるならば、公開取締り情報へのリンク情報を作成するようにしてもよいことは明らかである。この場合も、図５の画面５２のように経路探索結果の画面に、「放置車両取締区域」という文字リンクを表示して、そこを選択すると目的地周辺の公開取り締まり情報を表示することができる。
【００７５】
目的地検索と経路探索のそれぞれにおいて、公開取締り情報へのリンク情報を表示すれば、放置車両取締区域の告知案内に接するチャンスが２回あり、利用者がこのメッセージを見落とす確率を小さくしている。放置車両取締区域の告知案内には、さらに目的地周辺の駐車場案内へのリンクを配置し、周辺の駐車場検索リストを表示して駐車場利用の動機付けにすることができる。
【実施例２】
【００７６】
上記実施例１は、目的地が公開取締りの対象エリアに含まれる場合であったが、目的地が公開取締りの対象道路に隣接する場合も同様にすることができる。ここでいう「隣接」とは目的地に面した道路という意味で使用している。以下の実施例２においては、この場合について本発明を説明する。実施例２のナビゲーションシステムの構成は図１におけるナビゲーションシステム１０と同様であり、図１のナビゲーションシステム１０と共通する部分の説明は省略する。
【００７７】
実施例２において、公開取締り対象データ取得手段２６は、公開取締り情報から取締り対象の道路名称、対象区間などの情報を取得して道路ネットワークデータ２１１や地図データ２１２の道路リンクにその情報を付加して蓄積する。目的地検索や経路探索手順において、目的地検索手段２５は目的地が公開取締りの対象道路に隣接するか否かを判別し、目的地が対象道路に隣接する場合には実施例１の場合と同様に、リンク情報作成手段２７は当該公開取締り情報へのリンク情報を作成し、経路探索サーバ２０は目的地検索や経路探索の結果とともにこのリンク情報を端末装置３０に送信する。
【００７８】
図６は、以上説明した実施例２にかかるナビゲーションシステム１０における目的地検索の処理手順を示すフローチャートである。先ず、ステップＳ６０１の処理において目的地検索手段２５は目的地を検索する。ステップＳ６０２の処理において目的地検索に成功したか否かを判別する。この処理において目的地の検索に成功しなかった場合は、ステップＳ６０７の処理に進み、配信データ編集手段２４は端末装置３０にエラーを回答するエラー画面のデータを作成する。
【００７９】
目的地の検索に成功した場合はステップＳ６０３の処理に進み、公開取締り対象データ取得手段２６が取得した取締り対象の道路を参照して目的地が公開取締りの対象である道路に隣接するか否かを判別する。目的地が公開取締りの対象道路に隣接しない場合には、目的地検索手段２５は、ステップＳ６０５の処理に進み、検索結果に基づいて目的地の所在場所や所在地の地図情報などの検索情報を抽出する。
【００８０】
ステップＳ６０３の処理において目的地が公開取締りの対象である道路に隣接すると判別された場合はステップＳ６０４の処理に進み、リンク情報作成手段２７は該当する公開取締り情報へのリンク情報を作成してステップＳ６０５の処理に進む。ステップＳ６０５の処理が終了するとステップＳ６０６の処理に進み、配信データ編集手段２４はステップＳ６０４、ステップＳ６０５において作成したリンク情報や目的地の所在場所、所在地の地図情報などを編集して端末装置３０に送信する。
【００８１】
図７は、実施例２のナビゲーションシステム１０における経路探索の手順を示すフロャートである。先ず、ステップＳ７０１の処理において経路探索手段２３は出発地から目的地までの経路を探索する。ステップＳ７０２の処理において経路探索に成功したか否かを判別する。この処理において経路の探索に成功しなかった場合は、ステップＳ７０７の処理に進み、配信データ編集手段２４は端末装置３０にエラーを回答するエラー画面のデータを作成する。
【００８２】
経路の探索に成功した場合はステップＳ７０３の処理に進み、公開取締り対象データ取得手段２６が取得した取締り対象の道路を参照して目的地が公開取締りの対象である道路に隣接するか否かを判別する。目的地が公開取締りの対象道路に隣接しない場合には、経路探索手段２３は、ステップＳ７０５の処理に進み、経路探索結果に基づいて案内経路や端末装置３０の現在位置を含む所定の範囲の地図情報などを抽出する。
【００８３】
ステップＳ７０３の処理において目的地が公開取締りの対象である道路に隣接すると判別された場合はステップＳ７０４の処理に進み、リンク情報作成手段２７は該当する公開取締り情報へのリンク情報を作成してステップＳ７０５の処理に進む。ステップＳ７０５の処理が終了するとステップＳ７０６の処理に進み、配信データ編集手段２４はステップＳ７０４、ステップＳ７０５において作成したリンク情報や目的地の所在場所、所在地の地図情報などを編集して端末装置３０に送信する。
【００８４】
図８は、実施例２にかかるナビゲーションシステムにおける端末装置の表示画面の遷移を示す画面遷移図であり、端末装置３０は目的地を指定して経路探索サーバ２０に目的地検索要求を送信する（図８の８１参照）。経路探索サーバ２０は前述の手順（図６参照）により目的地検索を行い、回答画面情報を作成して端末装置３０に送る。端末装置３０が表示手段３８にこの回答情報を表示すると画面８２の画像が表示される。
【００８５】
画面８２において、回答画面エリア８０１には目的地が表示され、回答画面エリア８０２には経路探索条件を選択して経路探索要求を送信する選択項目が表示され、回答画面エリア８０１には選択項目８２ｄが、回答画面エリア８０３にはその他の選択項目８２ａ〜選択項目８２ｃ、８２ｅが表示される。回答画面エリア８０１に表示される。選択項目８２ｄが公開取締り情報の存在を示すメッセージであり、利用者が選択項目８２ｄを選択すると、このメッセージに関連付けられたリンク情報が指定する情報、すなわち、当局のホームページや情報配信サーバ上で公開されている公開取締り情報にアクセスできる。
【００８６】
図９は、図８の画面遷移図に続く画面遷移を示す遷移図である。図８の回答画面エリア８０２において所望の経路探索条件が選択され、経路探索サーバ２０に送信される（図９の９１参照）。経路探索サーバ２０は前述の手順（図７参照）により経路探索条件に従って経路探索を行い、回答画面情報を作成して端末装置３０に送る。端末装置３０が表示手段３８にこの回答情報を表示すると画面９２の画像が表示される。
【００８７】
画面９２は、出発地として現在地（端末装置３０がＧＰＳ処理手段３６により測位した現在位置）と目的地（図８参照）を経路探索条件として経路探索サーバ２０が経路を探索した結果を示す回答画面である。画面９２における回答画面エリア９２１には出発地と目的地が表示され、回答画面エリア９２２には経路探索サーバ２０に対する次の要求項目（探索された案内経路のガイダンスを要求する「ルート案内」や案内経路を含む地図データを要求する「ルート地図確認」など）が表示される。
【００８８】
回答画面エリア９２３には、案内経路の所要時間、走行距離、高速道路名、通行料金などが表示される。また、回答画面エリア９２４には、その他の選択項目が表示される。その他の選択項目としては、周辺の駐車場検索を要求する選択項目９２ａ、公開取締り情報を示すメッセージの選択項目９２ｂがあり、利用者が選択項目９２ｂを選択すると、このメッセージに関連付けられたリンク情報が指定する情報、すなわち、当局のホームページや情報配信サーバ上で公開されている公開取締り情報にアクセスできる。
【００８９】
画面９３はこのようにして取得した目的地が含まれるエリアを対象とする公開取締り情報の画面である。この取締り情報には、取締り対象の重点路線、最重点地域、重点地域などが記載されてあり、端末装置３０は表示手段３８にこの公開取締り情報の詳細を表示することができる。この回答画面の表示にあたって、端末装置３０は目的地周辺の駐車場検索を要求する選択項目９３ａを付加して表示すると良い。この選択項目９３ａまたは画面９２の選択項目９２ａを選択すると、経路探索サーバ２０において目的地周辺の所定範囲の駐車場が検索され、画面９４の回答画面が端末装置３０に送信される。この画面９４には、周辺の駐車場の一覧が表示され、利用者は任意の駐車場を選択することができるようになる。
【００９０】
以上、説明したように、本発明によれば、公開取締り情報から取締り対象のエリアや道路データを取得し、目的地が公開取締りの対象エリア内や公開取締りの対象道路に隣接している場合には、端末装置に案内する際に、公開取締り情報へのリンクを付加して情報取得を強く喚起する。これにより予め周辺の駐車場を検索するなどの準備を促し交通法規の遵守に資することができる。
【００９１】
すなわち、本発明によれば、目的地を検索した段階で目的地が取締り対象エリアであることを知ることが出来て、注意喚起することができる。また、経路探索結果で、目的地が取締り対象エリアであることを知ることが出来て、注意喚起することができる。さらに具体的に目的地に隣接する道路が取締り対象道路であることを知ることが出来て、より強く注意喚起することができる。さらに明確に目的地に到着する道路が取締り対象道路であることを知ることが出来て、より強く注意喚起することができるようになる。
【００９２】
なお、当初から駐車場を目的地にして目的地検索や経路探索を行った場合は、そもそも駐車場に入る意志があるのであるから、取り締まり対象の告知表示が煩雑と感じられるので、この場合には公開取締り情報へのリンク情報を表示しない配慮をしてもよい。ただし、その目的駐車場が満車であった場合など、すぐに他の駐車場を検索する要求が生じるので、「周辺の駐車場」といった選択項目（リンク）は画面に残しておいても良い。
【産業上の利用可能性】
【００９３】
本発明は、携帯端末からの利用のみならず、パーソナルコンピュータ（ＰＣ）からＷｅｂサーバに接続して目的地検索や経路探索を行う際にも適用できる。
事前に本発明のような検索を行って取締り情報を得ることで、そのエリアや道路上で迷惑とならない移動日時を選んだり、あるいは小型の車両に切り替えたりするなどの検討のきっかけを提供することもできるようになる。
【図面の簡単な説明】
【００９４】
【図１】本発明の実施例１にかかるナビゲーションシステムの構成を示すブロック図である。
【図２】本発明の実施例１にかかるナビゲーションシステムにおける目的地検索の手順を示すフローチャートである。
【図３】本発明の実施例１にかかるナビゲーションシステムにおける経路探索の手順を示すフローチャートである。
【図４】本発明の実施例１にかかるナビゲーションシステムにおける端末装置の表示画面の遷移を示す画面遷移図である。
【図５】図４の画面遷移に続く画面遷移を示す画面遷移図である。
【図６】本発明の実施例２にかかるナビゲーションシステムにおける目的地検索の手順を示すフローチャートである。
【図７】本発明の実施例２にかかるナビゲーションシステムにおける経路探索の手順を示すフローチャートである。
【図８】本発明の実施例２にかかるナビゲーションシステムにおける端末装置の表示画面の遷移を示す画面遷移図である。
【図９】図８の画面遷移に続く画面遷移を示す画面遷移図である。
【図１０】経路探索のための道路ネットワークのデータを説明するための模式図である。
【符号の説明】
【００９５】
１０・・・・ナビゲーションシステム
１２・・・・ネットワーク
２０・・・・経路探索サーバ
２１・・・・制御手段
２２・・・・送受信手段
２３・・・・経路探索手段
２４・・・・配信データ編集手段
２５・・・・目的地検索手段
２６・・・・公開取締り対象データ取得手段
２７・・・・リンク情報作成手段
２１１・・・道路ネットワークデータ
２１２・・・地図データ
２１３・・・ＰＯＩデータ
３０・・・・端末装置
３１・・・・制御手段
３２・・・・送受信手段
３３・・・・経路探索要求手段
３４・・・・案内データ記憶手段
３５・・・・地図・経路記憶手段
３６・・・・ＧＰＳ処理手段
３７・・・・操作入力手段
３８・・・・表示手段
【図１】
0004619319.tif 000002
【図２】
0004619319.tif 000003
【図３】
0004619319.tif 000004
【図４】
0004619319.tif 000005
【図５】
0004619319.tif 000006
【図６】
0004619319.tif 000007
【図７】
0004619319.tif 000008
【図８】
0004619319.tif 000009
【図９】
0004619319.tif 000010
【図１０】
0004619319.tif 000011